(57)【特許請求の範囲】
【請求項１】
コンテンツデータの記録再生を制御する記録再生制御部と、
前記コンテンツデータを記録するコンテンツ記録部と、
前記コンテンツ記録部に記録された１または複数のコンテンツデータに基づいて、前記コンテンツデータの少なくとも一部であるシーンをどのような順序で再生するかを示すプレイリストを生成するプレイリスト生成部と、
前記プレイリストを記憶するプレイリスト記憶部と、
前記コンテンツ記録部に記録されたコンテンツデータを識別するコンテンツデータ識別情報と、前記プレイリストを識別するプレイリスト識別情報とを関連付けたリンク情報を記憶するリンク情報記憶部と、
前記コンテンツ記録部に記録された前記コンテンツデータの少なくとも一部に基づいて作成したコンテンツデータの一覧を表示部に表示させると共に、前記リンク情報に基づいて、前記プレイリスト記憶部に記憶しているプレイリストの基となっている一のコンテンツデータに対して、その一のコンテンツデータに基づいて生成したプレイリストが存在することを示す識別情報を付加して前記表示部に表示させる表示制御部と、
を備え、
前記表示制御部は、前記プレイリスト記憶部に、前記一のコンテンツデータに基づいて生成したプレイリストが複数記憶されている場合に、その複数記憶されていることを示す情報を、前記一のコンテンツデータに付加した識別情報に含める
ことを特徴とする記録再生装置。
【請求項２】
前記コンテンツデータの一覧は、前記コンテンツデータに基づくサムネイル画像または前記コンテンツデータの内容情報の少なくとも一つを表示したものであることを特徴とする請求項１記載の記録再生装置。
【請求項３】
コンテンツデータの記録再生を制御する記録再生制御部と、
前記コンテンツデータを記録するコンテンツ記録部と、
前記コンテンツ記録部に記録された１または複数のコンテンツデータに基づいて、前記コンテンツデータの少なくとも一部であるシーンをどのような順序で再生するかを示すプレイリストを生成するプレイリスト生成部と、
前記プレイリストを記憶するプレイリスト記憶部と、
前記コンテンツ記録部に記録されたコンテンツデータを識別するコンテンツデータ識別情報と、前記プレイリストを識別するプレイリスト識別情報とを関連付けたリンク情報を記憶するリンク情報記憶部と、
前記コンテンツ記録部に記録された前記コンテンツデータの少なくとも一部に基づいて作成したコンテンツデータの一覧を表示部に表示させ、前記コンテンツデータの一覧に含まれるコンテンツデータのうちのいずれかである一のコンテンツデータが選択されたら、前記リンク情報に基づいて、選択された前記一のコンテンツデータに基づいて生成したプレイリストが前記プレイリスト記憶部に記憶されていると判断される場合に、前記一のコンテンツデータの再生を、前記プレイリストに基づいて行うか否かを選択させるメニューを有する選択メニュー画像を表示部に表示させる表示制御部と、
を備え、
前記表示制御部は、前記リンク情報に基づいて、前記プレイリスト記憶部に記憶しているプレイリストの基となっている前記一のコンテンツデータに対して、その一のコンテンツデータに基づいて生成したプレイリストが存在することを示す識別情報を付加して前記表示部に表示させるとともに、前記プレイリスト記憶部に前記一のコンテンツデータに基づいて生成したプレイリストが複数記憶されている場合に、その複数記憶されていることを示す情報を前記一のコンテンツデータに付加した識別情報に含めることを特徴とする記録再生装置。
【請求項４】
前記表示制御部は、前記プレイリスト記憶部に、選択された前記一のコンテンツデータに基づいて生成したプレイリストが複数記憶されている場合に、前記一のコンテンツデータの再生を、前記複数のプレイリストのうちのどのプレイリストで行うかを選択させるメニューを有する選択メニュー画像を前記表示部に表示させることを特徴とする請求項３記載の記録再生装置。
【発明の詳細な説明】
【技術分野】
【０００１】
本発明はコンテンツデータを記録再生する記録再生装置に係り、特にコンテンツデータに基づいて生成したプレイリストを記録し再生する記録再生装置に関する。
【背景技術】
【０００２】
近年、映像に関するコンテンツデータの記録及び再生を行う記録再生装置において、コンテンツデータのシーンの再生順序等を規定するプレイリストを記憶し、この記憶されたプレイリストに基づいてコンテンツデータを再生するものがある。記録再生装置は、コンテンツデータからコマーシャル映像部分等のユーザにとって不要な映像のデータを飛ばして再生したり、再生順序を変更して再生するための情報であるプレイリストを記憶する。ユーザが、記憶されたプレイリスト一覧から所望のプレイリストを選択すると、記録再生装置は選択されたプレイリストに基づいて、記録されたコンテンツデータを再生する。
【０００３】
ところで、従来の記録再生装置では、コンテンツデータのタイトル名一覧とプレイリスト一覧とを別の表示画面に表示させていた。そのためユーザは、視聴するコンテンツデータを選択する際に、所望のコンテンツデータのプレイリストが存在しているにもかかわらず、そのプレイリストの存在に気づかない場合があった。
【０００４】
そこで、特許文献１（特開２００１−２６６４５９号公報）には、記録媒体に書き込まれた情報（コンテンツデータ）を再生する際、その記録媒体に書き込まれている情報の内容を示すプログラムリストと、書き込まれている情報の視聴者指定の再生順番を示すプレイリストが書き込まれた管理情報を読み出す再生装置が記載されている。再生装置は、管理情報からプログラムリストおよびプレイリストを読み出し、プログラムリストおよびプレイリストを同時に表示する表示画面を生成して出力する。
【特許文献１】特開２００１−２６６４５９号公報
【発明の開示】
【発明が解決しようとする課題】
【０００５】
特許文献１に記載の技術を、大容量の記録部を備える記録再生装置に適用した場合、多数のプログラムリストとプレイリストとが同時に表示される。ユーザは多数のプログラムリストとプレイリストとの中で、どのプレイリストがどのプログラムリストに基づいて生成されたものなのかを把握することが困難である。
【０００６】
そのため、プログラムリストとプレイリストとが同時に表示されていても、ユーザは、視聴するコンテンツデータを選択する際に、所望のコンテンツデータのプレイリストが存在しているにもかかわらず、そのプレイリストの存在に気がつかず、プログラムリストから所望のコンテンツデータを選択してしまう場合がある。このような場合、ユーザは、コンテンツ視聴中にコマーシャル映像部分を早送りする等の操作をしながら視聴する必要があり、ユーザにとって非常に面倒である。
【０００７】
特に、記録再生装置を複数人により利用する場合、あるユーザの操作により生成され記憶されたプレイリストの存在に他のユーザは気づかずに、コンテンツデータを選択してしまう。
【０００８】
本発明は、上記課題に鑑みてなされたものであり、コンテンツデータに基づいたプレイリストが作成されていることをユーザが容易に確認できる記録再生装置を提供することを目的とする。またユーザが、プレイリストに基づくコンテンツデータの再生を容易にすることができる記録再生装置を提供することを目的とする。
【課題を解決するための手段】
【０００９】
上記した課題を解決するために本発明は、次の（ａ）〜（ｅ）の記録再生装置を提供するものである。
【００１０】
（ａ）コンテンツデータの記録再生を制御する記録再生制御部１２と、コンテンツデータを記録するコンテンツ記録部１８ａと、コンテンツ記録部に記録された１または複数のコンテンツデータに基づいて、コンテンツデータの少なくとも一部であるシーンをどのような順序で再生するかを示すプレイリストを生成するプレイリスト生成部１１ａと、プレイリストを記憶するプレイリスト記憶部１８ｂと、コンテンツ記録部に記録されたコンテンツデータを識別するコンテンツデータ識別情報と、プレイリストを識別するプレイリスト識別情報とを関連付けたリンク情報を記憶するリンク情報記憶部１４ａと、コンテンツ記録部に記録されたコンテンツデータの少なくとも一部に基づいて作成したコンテンツデータの一覧を表示部２に表示させると共に、リンク情報に基づいて、プレイリスト記憶部に記憶しているプレイリストの基となっている一のコンテンツデータに対して、その一のコンテンツデータに基づいて生成したプレイリストが存在することを示す識別情報を付加して表示部に表示させる表示制御部１３ａと、を備え、表示制御部は、プレイリスト記憶部に、一のコンテンツデータに基づいて生成したプレイリストが複数記憶されている場合に、その複数記憶されていることを示す情報を、一のコンテンツデータに付加した識別情報に含めることを特徴とする記録再生装置１。
【００１１】
（ｂ）コンテンツデータの一覧は、コンテンツデータに基づくサムネイル画像またはコンテンツデータの内容情報の少なくとも一つを表示したものであることを特徴とする（ａ）記載の記録再生装置。
【００１２】
（ｃ）コンテンツデータの記録再生を制御する記録再生制御部１２と、コンテンツデータを記録するコンテンツ記録部１８ａと、コンテンツ記録部に記録された１または複数のコンテンツデータに基づいて、コンテンツデータの少なくとも一部であるシーンをどのような順序で再生するかを示すプレイリストを生成するプレイリスト生成部１１０ａと、プレイリストを記憶するプレイリスト記憶部１８ｂと、コンテンツ記録部に記録されたコンテンツデータを識別するコンテンツデータ識別情報と、前記プレイリストを識別するプレイリスト識別情報とを関連付けたリンク情報を記憶するリンク情報記憶部１４ａと、コンテンツ記録部に記録されたコンテンツデータの少なくとも一部に基づいて作成したコンテンツデータの一覧を表示部２に表示させ、コンテンツデータの一覧に含まれるコンテンツデータのうちのいずれかである一のコンテンツデータが選択されたら、リンク情報に基づいて、選択された一のコンテンツデータに基づいて生成したプレイリストがプレイリスト記憶部に記憶されていると判断される場合に、一のコンテンツデータの再生を、プレイリストに基づいて行うか否かを選択させるメニューを有する選択メニュー画像を表示部に表示させる表示制御部１３０ｂと、を備えることを特徴とする記録再生装置１０１。
【００１３】
（ｄ）表示制御部は、リンク情報に基づいて、プレイリスト記憶部に記憶しているプレイリストの基となっている一のコンテンツデータに対して、その一のコンテンツデータに基づいて生成したプレイリストが存在することを示す識別情報を付加して表示部に表示させるとともに、プレイリスト記憶部に一のコンテンツデータに基づいて生成したプレイリストが複数記憶されている場合に、その複数記憶されていることを示す情報を一のコンテンツデータに付加した識別情報に含めることを特徴とする（ｃ）記載の記録再生装置。
【００１４】
（ｅ）表示制御部は、前記プレイリスト記憶部に、選択されたコンテンツデータに基づいて生成したプレイリストが複数記憶されている場合に、一のコンテンツデータの再生を、複数のプレイリストのうちのどのプレイリストで行うかを選択させるメニューを有する選択メニュー画像を表示部に表示させることを特徴とする（ｃ）または（ｄ）記載の記録再生装置。
【発明の効果】
【００１５】
本発明に係る記録再生装置によれば、ユーザは、所望のコンテンツデータを使用して作成したプレイリストが記録再生装置に記録されていることを容易に確認できる。またユーザは、記録再生装置にプレイリストを容易に再生させることができる。
【発明を実施するための最良の形態】
【００１６】
≪第１実施形態≫
以下、本発明を実施するための最良の形態について図面を参照して説明する。
【００１７】
第１実施形態では、コンテンツデータに基づいて生成されたプレイリストを記憶し、プレイリストに使用したコンテンツデータにプレイリストが記録されていることを示す情報である、例えばアイコンを対応付けて表示する記録再生装置について説明する。
【００１８】
ここで、コンテンツデータとは、映像データ、音声データ及びコンテンツ内容情報を含み、番組単位で１つのコンテンツデータが構成されている。コンテンツ内容情報とは、例えば、コンテンツデータのタイトル名、コンテンツデータの内容、出演者リスト等のコンテンツデータに関する情報を文字で示したデータのことである。プレイリストとは、コンテンツデータの少なくとも一部をシーンとし、１または複数のシーンの再生順序を規定するものである。複数のコンテンツデータからそれぞれシーンを設定して、再生順序を規定して１つのプレイリストを生成する場合もある。そしてプレイリストは、シーンがどのコンテンツデータからのものであるかを示す情報と、各シーンの再生開始時点と再生終了時点とを含む時間情報と、再生順序を示す情報を含む。なお、時間情報として、再生終了時点の代わりに、再生開始時点からの再生時間としてもよい。
【００１９】
≪記録再生装置の構成≫
図１は、第１実施形態の記録再生装置１の構成を示すブロック図である。
【００２０】
図１に示すように記録再生装置１は、表示部２及び音声出力部３と接続されており、表示部２へは映像を表示させるための映像信号を供給し、音声出力部３へは音声を出力させるための音声信号を供給する。表示部２は例えば液晶ディスプレイで構成され、音声出力部３は例えばスピーカで構成される。
【００２１】
記録再生装置１は、編集制御部１１と、記録再生制御部１２と、表示制御部（ＧＵＩ制御部：Graphical User Interface）１３と、メモリ１４と、データベース制御部１５と、ＣＰＵ１６と、入力インタフェース部１７とを備え、これらは互いにバス３０を介して接続されている。更に記録再生装置１は、記録部１８と、ディスクドライブ１９と、出力インタフェース部２０とを備える。入力インタフェース部１７、記録部１８、ディスクドライブ１９、出力インタフェース部２０は、記録再生制御部１２に接続されている。
【００２２】
編集制御部１１は、後述する記録部１８に記録されたコンテンツデータの各種編集を行う。また編集制御部１１は、プレイリスト生成部１１ａを備えている。
【００２３】
プレイリスト生成部１１ａは、後述する記録部１８のコンテンツ記録部１８ａに記録されたコンテンツデータに基づいてプレイリストを生成する。プレイリスト生成部１１ａは、プレイリストと、このプレイリストを一意に識別するプレイリスト識別情報（プレイリストＩＤ）とを関連付けて、後述する記録部１８のプレイリスト記憶部１８ｂにプレイリストとプレイリストＩＤを記憶させる。またプレイリスト生成部１１ａは、後述するメモリ１４のリンク情報記憶部１４ａにプレイリストＩＤを追加して記憶させる。
【００２４】
記録再生制御部１２は、後述するＣＰＵ１６の制御に従って、入力インタフェース部１７を介して入力されるコンテンツデータをコンテンツ記録部１８ａに記録させる。コンテンツデータは映像データと音声データとコンテンツ内容情報とを含む。記録再生制御部１２は更に、コンテンツデータを一意に識別するコンテンツ識別情報（コンテンツＩＤ）をコンテンツデータと関連付けてコンテンツ情報とし、コンテンツ情報をコンテンツ記録部１８ａに記録させる。
【００２５】
また記録再生制御部１２は、コンテンツ記録部１８ａに新たなコンテンツ情報を記録させると、リンク情報記憶部１４ａに新たなコンテンツＩＤを追加してリンク情報として記憶させる。
【００２６】
記録再生制御部１２は、ユーザ操作によりコンテンツデータの再生が要求された場合には、コンテンツ記録部１８ａからコンテンツデータを読み出す。また、ユーザ操作によりプレイリストの再生が要求された場合には、記録再生制御部１２はプレイリスト記憶部１８ｂに記憶されたプレイリストに基づいて、コンテンツ記録部１８ａからコンテンツデータを読み出す。
【００２７】
そして記録再生制御部１２は、出力インタフェース部２０を介して、読み出したコンテンツデータに基づいて、表示部２に映像を表示させると共に、音声出力部３から音声を出力させる。
【００２８】
表示制御部１３は、コンテンツ一覧表示制御部１３ａを備える。コンテンツ一覧表示制御部１３ａは、後述する記録部１８のコンテンツ記録部１８ａに記録されたコンテンツデータの少なくとも一部に基づいてコンテンツデータの一覧を作成し、コンテンツデータの一覧を出力インタフェース部２０を介して、表示部２に表示させる。
【００２９】
またコンテンツ一覧表示制御部１３ａは、後述するＣＰＵ１６のプレイリスト判定部１６ａによりコンテンツＩＤに対応するプレイリストＩＤが後述するリンク情報記憶部１４ａに記憶されていると判定された場合に、判定されたコンテンツＩＤに対応するコンテンツデータ一覧中のコンテンツデータに対して、プレイリストがプレイリスト記憶部１８ｂに記憶されていることを示す識別情報を付加して、表示部２に表示させる。
【００３０】
メモリ１４は、ＣＰＵ１６が実行する各種プログラムを一時的に記憶する他、ＣＰＵ１６が各種プログラムを実行する上で必要なデータ等も記憶する。またメモリ１４は、リンク情報記憶部１４ａを備える。リンク情報記憶部１４ａは、リンク情報を記憶する。リンク情報は、コンテンツＩＤとプレイリストＩＤとを含む。
【００３１】
コンテンツ記録部１８ａが新しいコンテンツデータを記録すると、対応するコンテンツＩＤがリンク情報としてリンク情報記憶部１４ａに記憶される。またプレイリスト生成部１１ａで新しいプレイリストが生成されると、対応するプレイリストＩＤがリンク情報としてリンク情報記憶部１４ａに記憶される。このときプレイリストＩＤは、リンク情報に含まれるコンテンツＩＤのうち、プレイリストに使用したコンテンツデータに対応するコンテンツＩＤに関連付けられて記憶される。
【００３２】
データベース制御部１５は、ＣＰＵ１６からの命令に従って、リンク情報記憶部１４ａに記憶されたリンク情報の読み出しや書き込み等の各種制御を行う。
【００３３】
ＣＰＵ１６は、記録部１８に記憶された各種プログラムを読み出し、この読み出したプログラムを実行する。またＣＰＵ１６は、プレイリスト判定部１６ａを備える。
【００３４】
プレイリスト判定部１６ａは、リンク情報記憶部１４ａからリンク情報を読み出し、読み出したリンク情報において所望のコンテンツＩＤに対応するプレイリストＩＤがあるか否かを判定する。プレイリスト判定部１６ａは、リンク情報記憶部１４ａにプレイリストＩＤが記憶されていると判定すると、コンテンツＩＤに対応するプレイリストが、プレイリスト記憶部１８ｂに記憶されていると判定する。
【００３５】
入力インタフェース部１７は、外部から操作信号やコンテンツデータを受け取り、ＣＰＵ１６や記録再生制御部１２等へ供給する。
【００３６】
記録部１８は、ＣＰＵ１６が実行するための各種プログラムを記憶する。記録部１８は例えば、ハードディスクである。また、記録部１８は、コンテンツ記録部１８ａとプレイリスト記憶部１８ｂとを備えている。
【００３７】
コンテンツ記録部１８ａは、コンテンツデータとコンテンツＩＤとを関連付けて、コンテンツ情報として記録する。
【００３８】
プレイリスト記憶部１８ｂは、コンテンツ記録部１８ａに記録されたコンテンツデータに基づいて生成されたプレイリストと、プレイリストＩＤとを関連付けて記憶する。
【００３９】
ディスクドライブ１９は、例えば、記録媒体に記録されたコンテンツデータを再生したり、記録媒体にコンテンツデータを記録したりする。
【００４０】
出力インタフェース部２０は、記録再生制御部１２からコンテンツデータを受け取り、表示制御部１３から表示画像データ等を受け取り、表示部２や音声出力部３へ供給する。
【００４１】
なお、コンテンツ記録部１８ａとプレイリスト記憶部１８ｂとは、記録部１８に備える構成としたが、ディスクドライブ１９に装着される記録媒体にそれぞれを備える構成としてもよい。
【００４２】
≪記録再生装置の動作≫
以下に、第１実施形態の記録再生装置１の動作について説明する。
【００４３】
記録再生装置１は、プレイリスト生成処理及びプレイリスト表示処理を行う。プレイリスト生成処理とは、コンテンツデータに基づいてプレイリストを生成して記憶することであり、プレイリスト表示処理とは、コンテンツデータとプレイリストが記憶されていることを示す情報とを対応付けて表示することである。以下にプレイリスト生成処理及びプレイリスト表示処理について詳細に説明する。
【００４４】
＜プレイリスト生成処理＞
記録再生装置１におけるプレイリスト生成処理について、図１及び図２を参照して説明する。
【００４５】
ユーザの操作によって入力インタフェース部１７からプレイリスト生成画像の表示要求を示す操作信号が供給されると、ＣＰＵ１６は、プレイリスト生成画像を表示部２に表示させるように、表示制御部１３を制御する。
【００４６】
図２は、記録再生装置１が表示部２に表示させるプレイリスト生成画像の一例を示す図である。
【００４７】
表示部２の表示画面２０１には、第１実施形態のプレイリスト生成画像が表示されている。プレイリスト生成画像は、コンテンツ表示領域４０２と、プレイリスト表示領域４０３と、区切り生成ボタン４０４と、素材切替ボタン４０５と、編集終了ボタン４０６とを含む。これらは、それぞれ表示画面２０１の所定の位置に表示される。
【００４８】
コンテンツ表示領域４０２は、コンテンツデータの映像を表示する領域であり、プレイリスト表示領域４０３はプレイリストを表示する領域である。区切り生成ボタン４０４は、プレイリスト生成時にコンテンツデータから所望のシーンを選択する制御を示す画像である。シーンは、コンテンツデータの第１の時刻（再生開始時点）から第２の時刻（再生終了時点）までの部分のコンテンツデータとする。再生開始時点及び再生終了時点は、コンテンツデータに付された時刻情報である。
【００４９】
素材切替ボタン４０５は、コンテンツ表示領域４０２に表示するコンテンツデータを切り替える制御を示す画像である。プレイリストに複数のコンテンツデータのシーンを使用する場合に、ユーザは素材切替ボタン４０５を操作する。編集終了ボタン４０６はプレイリスト生成処理を終了する制御を示す画像である。ユーザはボタン４０４〜４０６を操作して、プレイリストを生成する。
【００５０】
ＣＰＵ１６は、素材切替ボタン４０５が操作されたことを示す操作信号が供給されると、記録部１８のコンテンツ記録部１８ａから読み出すコンテンツデータを切り替える。表示制御部１３は、切り替えられたコンテンツデータの映像をコンテンツ表示領域４０２に表示させる。
【００５１】
ユーザは、コンテンツ表示領域４０２に表示されたコンテンツデータを見ながら、プレイリストに使用する部分（シーン）を選択する。ユーザは、使用する部分の開始時点に区切り生成ボタン４０４を操作し、使用する部分の終了時点に再度区切り生成ボタン４０４を操作する。
【００５２】
ＣＰＵ１６は、区切り生成ボタン４０４が操作されたことを示す操作信号が供給されると、編集制御部１１のプレイリスト生成部１１ａに制御信号を出力する。
【００５３】
プレイリスト生成部１１ａは制御信号に基づいて、区切り生成ボタン４０４が操作された時のコンテンツデータの時刻情報と、次に区切り生成ボタン４０４が操作された時のコンテンツデータにおける時刻情報とに基づいて、選択されたシーンの時間情報を生成する。シーンの時間情報は、コンテンツデータの時間情報を基にしたシーンの再生開始時点及び再生終了時点を含む。プレイリスト生成部１１ａは表示制御部１３を介して、シーンの時間情報をプレイリスト表示領域４０３に表示させる。プレイリスト生成部１１ａは更に、シーンがどのコンテンツデータをからのものであるかを示す情報をプレイリスト表示領域４０３に表示させる。
【００５４】
プレイリスト表示領域４０３の表示について、図２のプレイリスト表示領域４０３に示す一番上の行を参照に説明する。「シーン０１」はシーンの名前であり、ユーザが任意で名前を付けることもできる。「シーン０１」の後ろに続く、「１」は、どのコンテンツデータを使用したかを示す情報であり、ここではコンテンツデータ１が用いられたことを示すが、コンテンツＩＤを代わりに表示してもよい。「１」の後ろにつづく「00.00.05〜00.15.00」はシーン０１の時間情報である。
【００５５】
プレイリスト生成部１１ａは、区切り生成ボタン４０４の操作が二度行われる毎に、一つのシーンの時間情報を生成する。
【００５６】
ユーザは上記のように１または複数のシーンを選択し、選択したシーンの再生順序を決定してプレイリストを作成する。プレイリストの作成が完了すると、ユーザは編集終了ボタン４０６を操作する。
【００５７】
ＣＰＵ１６は、編集終了ボタン４０６が操作されるまで、コンテンツ表示領域４０２に表示されたコンテンツデータの再生を続ける。ＣＰＵ１６は、編集終了ボタン４０６が操作されたことを示す操作信号が供給されると、記録再生制御部１２にコンテンツデータの再生を停止させ、プレイリスト生成部１１ａにプレイリスト生成処理を完了させる。ＣＰＵ１６は、表示制御部１３に表示部２へのプレイリスト生成画像の表示を終了させる。
【００５８】
プレイリスト生成部１１ａは、選択されたシーンの時間情報及び再生順序を示す情報（プレイリスト）と、生成したプレイリストを一意に識別するプレイリストＩＤとをプレイリスト記憶部１８ｂに出力する。プレイリスト記憶部１８ｂは、プレイリストとプレイリストＩＤとを関連付けて記憶する。
【００５９】
更に、プレイリスト生成部１１ａは、リンク情報記憶部１４ａに記憶されたリンク情報におけるコンテンツＩＤのうち、プレイリストに使用したコンテンツデータに対応するコンテンツＩＤに関連付けて、リンク情報記憶部１４ａにプレイリストＩＤを記憶させる。先述したように、プレイリストを複数のコンテンツデータに基づいて作成してもよい。この場合プレイリスト生成部１１ａは、使用したコンテンツデータのコンテンツＩＤそれぞれに、プレイリストＩＤを関連付けてリンク情報記憶部１４ａに記憶させる。
【００６０】
以上のようにして、プレイリスト生成部１１ａは、プレイリスト生成画像の各ボタン４０４〜４０６が操作されたことを示す操作信号に基づいて、プレイリストを生成することができる。
【００６１】
＜プレイリスト表示処理＞
図３は、記録再生装置１のプレイリスト表示処理の処理手順を示したフローチャートである。
【００６２】
ステップＳ１０１において、ＣＰＵ１６は、入力インタフェース部１７からコンテンツデータの一覧表示要求を示す操作信号が供給されたか否かを判定する。コンテンツデータの一覧表示要求を示す操作信号が入力インタフェース部１７から供給されると、ＣＰＵ１６の処理はステップＳ１０３へ移行する。
【００６３】
ステップＳ１０３では、ＣＰＵ１６のプレイリスト判定部１６ａが、コンテンツ記録部１８ａに記録された全てのコンテンツデータの数を算出する。この算出した全コンテンツデータ数をｎとする。更にプレイリスト判定部１６ａは、カウンターｉに初期値として"１"を入力する。
【００６４】
次にステップＳ１０５では、プレイリスト判定部１６ａは、データベース制御部１５を介して、メモリ１４のリンク情報記憶部１４ａからリンク情報を読み出す。
【００６５】
ステップＳ１０７では、プレイリスト判定部１６ａは、カウンターｉが全コンテンツデータ数ｎ以下であるか否かを判定する。カウンターｉがｎ以下であるとステップＳ１０９に進み、プレイリスト判定部１６ａは記録部１８のコンテンツ記録部１８ａに記録されたコンテンツ情報から、ｉ番目のコンテンツＩＤを抽出する。
【００６６】
ステップＳ１０７にてカウンターｉがｎより大きいと判定すると、プレイリスト判定部１６ａはプレイリスト表示処理を終了する。
【００６７】
ステップＳ１１１において、プレイリスト判定部１６ａは、抽出したｉ番目のコンテンツＩＤに対応するプレイリストが存在するか否かを判定する。具体的には、プレイリスト判定部１６ａは、ステップＳ１０５において読み出したリンク情報に、ｉ番目のコンテンツＩＤに対応するプレイリストＩＤが存在するか否かを判定する。読み出したｉ番目のコンテンツＩＤに対応するプレイリストＩＤが存在すると判定した場合には、ステップＳ１１３に進む。
【００６８】
ステップＳ１１３でＣＰＵ１６は、表示制御部１３を次のように制御する。表示制御部１３のコンテンツ一覧表示制御部１３ａは、ｉ番目のコンテンツＩＤに対応するコンテンツデータを表示部２に表示させる。本実施形態では後述するように、コンテンツデータの映像データに基づいたサムネイル画像やコンテンツ内容情報を表示部２に表示させる。
【００６９】
更にコンテンツ一覧表示制御部１３ａは、ｉ番目のコンテンツＩＤに対応するコンテンツデータに関連付けて、ｉ番目のコンテンツＩＤに対応するプレイリストが存在することを示す情報であるアイコンを表示部２に表示させる。
【００７０】
一方、ステップＳ１１１においてプレイリスト判定部１６ａが、抽出したｉ番目のコンテンツＩＤに対応するプレイリストＩＤが存在しないと判定した場合はステップＳ１１５に進む。ステップＳ１１５にてＣＰＵ１６は、コンテンツ一覧表示制御部１３ａにｉ番目のコンテンツＩＤに対応するコンテンツデータのみを表示部２に表示させるよう指示する。
【００７１】
ステップＳ１１３及びステップＳ１１５の処理を終えると、ステップＳ１１７へ進む。ステップＳ１１７にてプレイリスト判定部１６ａは、カウンターｉを"１"だけ加算する。その後ＣＰＵ１６は、ステップＳ１０７〜Ｓ１１７の処理をカウンターｉがｎより大きくなるまで（ｉ＞ｎ）繰り返す。これにより、記録部１８のコンテンツ記録部１８ａに記録された全てのコンテンツデータに基づく画像を、表示部２に表示させることができる。
【００７２】
一つのコンテンツデータが複数のプレイリストに使用されていてもよい。この場合、リンク情報のコンテンツＩＤには、複数のプレイリストＩＤが対応付けて記憶される。ステップＳ１１１において、対応するプレイリストＩＤが複数あるとプレイリスト判定部１６ａが判定すると、ステップＳ１１３にてアイコンを複数表示してもよいし、複数のプレイリストがあることを示すアイコンを表示してもよい。
【００７３】
図４は、記録再生装置１がコンテンツデータの一覧を、表示部２に表示した状態を示す図である。コンテンツデータの一覧は、図３に示すステップＳ１０１にてＣＰＵ１６が、表示要求を示す操作信号が供給されたと判断した結果、表示部２に表示される。表示画面２０１は、サムネイル画像５０１〜５０８とコンテンツ内容情報５１１〜５１８を表示している。サムネイル画像は、コンテンツデータの一部のフレームを表示したものである。サムネイル画像５０２には、アイコン５３０が重ねて表示されている。
【００７４】
コンテンツ一覧表示制御部１３ａは、表示部２の所定の表示領域にサムネイル画像５０１〜５０８とコンテンツ内容情報５１１〜５１８とを表示させる。サムネイル画像５０１とコンテンツ内容情報５１１は、同じコンテンツデータに基づくものである。サムネイル画像５０２〜５０８とコンテンツ内容情報５１２〜５１８とも、同様の関係である。
【００７５】
ここで、コンテンツ内容情報５１１、５１３〜５１８は、プレイリスト判定部１６ａによりプレイリストが記憶されていないと判定されたコンテンツＩＤに対応するコンテンツ内容情報である。コンテンツ内容情報５１２は、プレイリスト判定部１６ａによりプレイリストが記憶されていると判定されたコンテンツＩＤに対応するコンテンツ内容情報である。
【００７６】
コンテンツ一覧表示制御部１３ａは表示部２に更に、コンテンツ内容情報５１２と共にアイコン５３０を表示させる。ここではアイコン５３０は、サムネイル画像５０２に重畳して表示したが、アイコン５３０はコンテンツ内容情報５１２に重畳して表示されてもよいし、サムネイル画像及びコンテンツ内容情報５１２が表示されている領域の周辺に表示されてもよい。
【００７７】
アイコン５３０は、リンク情報記憶部１４ａにプレイリストＩＤが記憶されていることを示す識別情報（プレイリスト記憶識別情報）である。すなわち、アイコン５３０が表示されているコンテンツ内容情報が示すコンテンツデータを用いたプレイリストが、プレイリスト記憶部１８ｂに記憶されていることを示す。プレイリスト記憶識別情報はアイコンに限らず、例えば、プレイリストが記憶されていることを示す文字情報でもよい。
【００７８】
本実施形態では、コンテンツデータの一覧表示が指示されると、表示画面２０１にサムネイル画像５０１〜５０８とコンテンツ内容情報５１１〜５１８とを表示したが、サムネイル画像５０１〜５０８とコンテンツ内容情報５１１〜５１８のいずれか一方のみを表示してもよい。
【００７９】
第１実施形態の記録再生装置１は、コンテンツデータに基づいて生成されたプレイリストを記憶すると共に、コンテンツデータに基づく画像とプレイリストが記憶されていることを示す情報（アイコン）とを対応付けて、表示部２に表示させることができる。
【００８０】
ユーザは表示部２より、視聴したいコンテンツデータに基づく画像とアイコンの表示の有無を確認し、視聴したいコンテンツデータのプレイリストが記録再生装置に記憶されているか否かを、簡単に判断することができる。
【００８１】
≪第２実施形態≫
第２実施形態では、プレイリストに使用したコンテンツデータに基づく画像を選択すると、コンテンツデータの再生及びプレイリストの再生が選択できる選択メニュー画像を表示する記録再生装置について説明する。
【００８２】
≪記録再生装置の構成≫
図５は、第２実施形態の記録再生装置１０１の構成を示すブロック図である。第１実施形態の記録再生装置１と同じ構成には同じ番号を付し、その説明を省略する。
【００８３】
図５に示すように、記録再生装置１０１は、表示部２及び音声出力部３と接続している。記録再生装置１０１は表示部２へは映像信号を供給し、音声出力部３へは音声信号を供給する。
【００８４】
記録再生装置１０１は、編集制御部１１０と、記録再生制御部１２と、表示制御部１３０と、メモリ１４と、データベース制御部１５と、ＣＰＵ１６０と、入力インタフェース部１７とを備え、これらは互いにバス３０を介して接続されている。更に、記録再生制御部１２には、記録部１８と、ディスクドライブ１９と、出力インタフェース部２０とが接続されている。
【００８５】
ここで、記録再生制御部１２、メモリ１４、データベース制御部１５、入力インタフェース部１７、記録部１８、ディスクドライブ１９、及び出力インタフェース部２０は、記録再生装置１の構成と同一であるので、説明は省略する。
【００８６】
編集制御部１１０は、記録部１８に記録されたコンテンツデータの各種編集を行う。また編集制御部１１０は、プレイリスト生成部１１０ａを備えている。
【００８７】
プレイリスト生成部１１０ａは、記録部１８のコンテンツ記録部１８ａに記録されたコンテンツデータに基づいてプレイリストを生成し、プレイリストとプレイリストＩＤとを関連付けて、プレイリスト記憶部１８ｂにプレイリストとプレイリストＩＤとを記憶させる。またプレイリスト生成部１１０ａは、リンク情報記憶部１４ａに記憶されたリンク情報の、このコンテンツデータに対応するコンテンツＩＤに関連付けてプレイリストＩＤを追加して記憶させる。
【００８８】
表示制御部１３０は、コンテンツ一覧表示制御部１３０ａと選択メニュー表示制御部１３０ｂを備えている。
【００８９】
コンテンツ一覧表示制御部１３０ａは、コンテンツ記録部１８ａに記録されたコンテンツデータの少なくとも一部に基づいてコンテンツデータの一覧を作成し、コンテンツデータの一覧を出力インタフェース部２０を介して、表示部２に表示させる。またコンテンツ一覧表示制御部１３０ａは、後述するＣＰＵ１６０のプレイリスト判定部１６０ａによりコンテンツＩＤに対応するプレイリストＩＤが後述するリンク情報記憶部１４ａに記憶されていると判定された場合に、判定されたコンテンツＩＤに対応するコンテンツデータ一覧中のコンテンツデータに対して、プレイリストがプレイリスト記憶部１８ｂに記憶されていることを示す識別情報を付加して、表示部２に表示させる。識別情報は、先に述べたプレイリスト記憶識別情報（アイコン等）である。
【００９０】
選択メニュー表示制御部１３０ｂは、後述する選択メニュー画像を表示部２に表示させる。選択メニュー表示制御部１３０ｂは、選択メニュー画像を記憶している。
【００９１】
ＣＰＵ１６０は、記録部１８に記憶された各種プログラムを読み出し、読み出したプログラムを実行する。またＣＰＵ１６０は、プレイリスト判定部１６０ａを備える。
【００９２】
プレイリスト判定部１６０ａは、リンク情報記憶部１４ａからリンク情報を読み出し、読み出したリンク情報において所望のコンテンツＩＤに対応するプレイリストＩＤがあるか否かを判定する。プレイリスト判定部１６０ａは、リンク情報記憶部１４ａにプレイリストＩＤが記憶されていると判定すると、コンテンツＩＤに対応するプレイリストが、プレイリスト記憶部１８ｂに記憶されていると判定する。
【００９３】
ＣＰＵ１６０は、表示部２に表示されたコンテンツデータの一覧からいずれか１つを選択することを示す操作信号が、入力インタフェース部１７を介して外部から供給されると、コンテンツ記録部１８ａから選択されたコンテンツデータを含むコンテンツ情報を読み出す。またＣＰＵ１６０は、リンク情報記憶部１４ａからリンク情報を読み出す。プレイリスト判定部１６０ａは、読み出したコンテンツ情報からコンテンツＩＤを抽出し、読み出したリンク情報の中に抽出したコンテンツＩＤに対応するプレイリストＩＤがある場合には、抽出したコンテンツＩＤに対応するプレイリストが記録部１８のプレイリスト記憶部１８ｂに記憶されていると判定する。
【００９４】
≪記録再生装置の動作≫
以下に、第２実施形態の記録再生装置１０１の動作について説明する。
【００９５】
記録再生装置１０１は、プレイリスト生成処理、プレイリスト表示処理及びメニュー画像表示処理を行う。プレイリスト生成処理及びプレイリスト表示処理は、第１実施形態と同様の処理である。メニュー画像表示処理とは、ユーザが選択したコンテンツデータに対して、コンテンツデータの再生等の制御を選択できる選択メニュー画像を表示することである。プレイリスト生成処理、プレイリスト表示処理及びメニュー画像表示処理について詳細に説明する。
【００９６】
＜プレイリスト生成処理＞
記録再生装置１０１におけるプレイリスト生成処理について、図５及び図６を参照して説明する。
【００９７】
ユーザの操作によって入力インタフェース部１７からプレイリスト生成画像の表示要求を示す操作信号が供給されると、ＣＰＵ１６０は、プレイリスト生成画像を表示部２に表示させるように、表示制御部１３０を制御する。
【００９８】
図６は、記録再生装置１０１が表示部２に表示させるプレイリスト生成画像の一例を示す図である。
【００９９】
表示部２の表示画面２０１には、第２実施形態のプレイリスト生成画像が表示されている。プレイリスト生成画像は、シーン表示領域６０２と、シーンスキップボタン６０３と、編集終了ボタン６０４とを含み、これらはそれぞれ表示画面２０１の所定の位置に表示される。シーン表示領域６０２には、後述するサムネイル画像６０５〜６１２が表示されている。
【０１００】
編集制御部１１０のプレイリスト生成部１１０ａは、選択されたコンテンツデータを自動的に所定の複数シーンに分割する。コンテンツデータの選択は、任意の方法で行えばよい。
【０１０１】
コンテンツデータの分割方法は例えば、コンテンツデータを構成するフレーム画像を複数の領域に分割し、それぞれの領域についてフレーム画像間の動きベクトルを求める方法である。プレイリスト生成部１１０ａは、動きベクトルからシーンの区切りを算出し、算出したシーンの区切りに基づいてコンテンツデータを分割する。ここでコンテンツデータを分割して生成された各シーン（シーン毎コンテンツデータ）は、暫定的なプレイリストの候補である。本実施形態では、コンテンツデータは８つのシーンに分割されているが、分割数はこれに限定されない。
【０１０２】
表示制御部１３０は表示部２に、シーンに基づいた一部のフレームを表示したサムネイル画像６０５〜６１２を表示させる。本実施形態では、自動的に作成されたシーンの中から、不要なものをユーザが決定し、所望のプレイリストを作成する。ユーザは表示部２に表示されたサムネイル画像６０５〜６１２を見て、プレイリストに不要なシーンを選択する。不要なシーンとは例えば、コマーシャル等をいう。
【０１０３】
プレイリスト生成部１１０ａは、サムネイル画像６０５〜６１２のうちいずれか１つが選択されたことを示す操作信号が供給されると、選択されたサムネイル画像の基となるシーンを編集可能とする。図６は、サムネイル画像６０６が選択された状態を示す。サムネイル画像６０６が選択されたことを、サムネイル画像６０６上にマーカ６２０を表示して示すが、表示方法はこれに限定されない。サムネイル画像の表示枠を太くしたり、色を変えたりして示してもよい。
【０１０４】
シーンが編集可能な状態にあるとき、ユーザはシーンスキップボタン６０３を操作できる。シーンスキップボタン６０３が操作されると、ＣＰＵ１６０は編集可能状態にあるシーンをスキップすることを示す信号を、プレイリスト生成部１１０ａに供給する。プレイリスト生成部１１０ａは、プレイリストの候補から編集可能状態にあるシーンを削除する。
【０１０５】
表示制御部１３０は、シーンが削除されたことを示す削除マーク６１３を、サムネイル画像に重畳して表示する。
【０１０６】
図６に示すように、サムネイル画像６０５、６０７には、削除マーク６１３が重ねて表示されている。従ってユーザは、サムネイル画像６０５、６０７に対応するシーンはプレイリストの候補から削除されたことが、視認できる。
【０１０７】
ユーザは不要なシーンの削除が終了すると、編集終了ボタン６０４を操作する。ＣＰＵ１６０は、編集終了ボタン６０４が操作されたことを示す操作信号が供給されると、プレイリスト生成部１１０ａにプレイリスト生成処理を完了させる。またＣＰＵ１６０は、表示制御部１３０に表示部２へのプレイリスト生成画像の表示を終了させる。
【０１０８】
プレイリスト生成部１１０ａは、削除されていないシーン（ここでは、サムネイル画像６０６、６０８〜６１２に対応する）のそれぞれの再生開始時点と再生終了時点を示す時間情報と、シーンの再生順序とを示す情報（プレイリスト）を生成する。プレイリスト生成部１１０ａは、プレイリストと生成したプレイリストを一意に識別するプレイリストＩＤとを、プレイリスト記憶部１８ｂに出力する。プレイリスト記憶部１８ｂは、プレイリストとプレイリストＩＤとを関連付けて記憶する。
【０１０９】
更に、プレイリスト生成部１１０ａは、リンク情報記憶部１４ａに記憶されたリンク情報におけるコンテンツＩＤのうち、プレイリストに使用したコンテンツデータに対応するコンテンツＩＤに関連付けて、リンク情報記憶部１４ａにプレイリストＩＤを記憶させる。
【０１１０】
第２実施形態では、記録再生装置１０１は選択されたコンテンツデータから自動的にシーンを作成する。ユーザは、表示部２に表示されたサムネイル画像６０５〜６１２を見ながら、各シーンをプレイリストから削除するか否かを判断する。ユーザはプレイリストに必要のないシーンは、削除（スキップ）する操作を行う。従って、プレイリスト生成部１１０ａは、コンテンツデータからユーザにとって必要ないシーンが削除されたものをプレイリストとして生成することができる。
【０１１１】
以上のようにして、記録再生装置１０１は、ユーザの操作に基づいて、１つのコンテンツデータからユーザにとって不要な映像を飛ばして再生するための、再生順序情報であるプレイリストを生成し記憶する。
【０１１２】
記録再生装置１０１は、第１実施形態で説明したプレイリスト生成処理を行うこともできる。
【０１１３】
＜プレイリスト表示処理及びメニュー画像表示処理＞
図７は記録再生装置１０１のプレイリスト表示処理及びメニュー画像表示処理の処理手順を示したフローチャートである。
【０１１４】
ステップＳ２０１において、ＣＰＵ１６０は、入力インタフェース部１７からコンテンツデータの一覧表示要求を示す操作信号が供給されたか否かを判定する。コンテンツデータの一覧表示要求を示す操作信号が入力インタフェース部１７から供給されると、ＣＰＵ１６０の処理はステップＳ２０３へ移行する。
【０１１５】
ステップＳ２０３では、ＣＰＵ１６０はコンテンツ一覧表示制御部１３０ａに、コンテンツ記録部１８ａに記録された全てのコンテンツデータの数を算出させる。この算出した全コンテンツデータ数をｎとする。更にコンテンツ一覧表示制御部１３０ａは、カウンターｉに初期値として"１"を入力する。
【０１１６】
ステップＳ２０５にて、コンテンツ一覧表示制御部１３０ａは、カウンターｉが全コンテンツデータ数ｎ以下であるか否かを判定する。カウンターｉがｎ以下であると判定するとステップＳ２０７に進み、ＣＰＵ１６０はコンテンツ一覧表示制御部１３０ａに、記録部１８のコンテンツ記録部１８ａからｉ番目のコンテンツデータを読み出させる。コンテンツ一覧表示制御部１３０ａは、読み出したコンテンツデータを表示部２に表示させる。本実施形態では後述するように、コンテンツデータの映像データに基づいたサムネイル画像やコンテンツ内容情報を表示部２に表示させる。
【０１１７】
ステップＳ２０９にて、コンテンツ一覧表示制御部１３０ａは、カウンターｉを"１"だけ加算させる。その後ＣＰＵ１６０はコンテンツ一覧表示制御部１３０ａに、ステップＳ２０５〜Ｓ２０９の処理をカウンターｉがｎより大きくなるまで（ｉ＞ｎ）繰り返させる。これにより、記録部１８のコンテンツ記録部１８ａに記録された全てのコンテンツデータの一覧を、表示部２に表示させることができる。
【０１１８】
ステップＳ２０５において、カウンターｉが全コンテンツデータ数ｎを越えた場合、ステップＳ２１１に進む。ステップＳ２１１においてＣＰＵ１６０は、表示部２に表示されたコンテンツデータの一覧のいずれか１つを選択するための操作信号が入力されたか否かを判定する。入力インタフェース部１７より操作信号が入力されたと判定すると、ＣＰＵ１６０は処理をステップＳ２１３へ移行させる。
【０１１９】
ステップＳ２１３でプレイリスト判定部１６０ａは、コンテンツ記録部１８ａから選択されたコンテンツデータを含むコンテンツ情報を読み出す。更にプレイリスト判定部１６０ａは、コンテンツ情報からコンテンツＩＤを抽出する。
【０１２０】
そしてステップＳ２１５にて、プレイリスト判定部１６０ａは、データベース制御部１５を介して、リンク情報記憶部１４ａからリンク情報を読み出す。
【０１２１】
ステップＳ２１７にて、プレイリスト判定部１６０ａは、抽出されたコンテンツＩＤに対応するプレイリストＩＤがプレイリスト記憶部１８ｂに記憶されているか否かを判定する。具体的には、プレイリスト判定部１６０ａは、ステップＳ２１５において読み出したリンク情報に、ステップＳ２１３において抽出したコンテンツＩＤに対応するプレイリストＩＤが存在するか否かを判定する。リンク情報にプレイリストＩＤが存在すれば、抽出されたコンテンツＩＤに対応するプレイリストがプレイリスト記憶部１８ｂに記憶されていると判定する。
【０１２２】
そして、ステップＳ２１７において、抽出されたコンテンツＩＤに対応するプレイリストが記憶されていると判定された場合には、ステップＳ２１９に進む。ステップＳ２１９にて、表示制御部１３０の選択メニュー表示制御部１３０ｂは選択メニュー画像を表示部２に表示させる。選択メニュー画像は、プレイリストに基づいたコンテンツデータの再生が選択可能なメニューである。
【０１２３】
一方、ステップＳ２１７にて、抽出されたコンテンツＩＤに対応するプレイリストが記憶されていないと判定された場合には、ステップＳ２２１に進む。ステップＳ２２１にて表示制御部１３０の選択メニュー表示制御部１３０ｂは、選択メニュー画像を表示部２に表示させる。選択メニュー画像は、コンテンツデータの再生は選択できるが、プレイリストに基づいたコンテンツデータの再生は選択不可なメニューである。
【０１２４】
図８は、記録再生装置１０１がコンテンツデータの一覧を、表示部２に表示した状態を示す図である。コンテンツデータの一覧は、図７に示すステップＳ２０１にてＣＰＵ１６０が、表示要求を示す操作信号が供給されたと判断した結果、表示部２に表示される。
【０１２５】
表示画面２０１は、サムネイル画像７０１〜７０８とコンテンツ内容情報７１１〜７１８を表示している。サムネイル画像７０１とコンテンツ内容情報７１１は、同じコンテンツデータに基づくものである。サムネイル画像７０２〜７０８とコンテンツ内容情報７１２〜７１８とも、同様の関係である。サムネイル画像７０２には、アイコン５３０が重ねて表示されている。また表示画面２０１は、選択メニュー画像７２０を表示している。
【０１２６】
表示されたサムネイル画像７０１〜７０８の中から、いずれか１つが選択されると、そのことを示す操作信号がＣＰＵ１６０のプレイリスト判定部１６０ａに供給される（図７のステップＳ２１１）。プレイリスト判定部１６０ａは、プレイリストＩＤが、操作信号の示すコンテンツデータのコンテンツＩＤに関連付けられてリンク情報記憶部１４ａに記憶されているか否かを判定する。
【０１２７】
プレイリスト判定部１６０ａが、リンク情報記憶部１４ａにプレイリストＩＤが記憶されていると判定した場合には、選択メニュー表示制御部１３０ｂは、プレイリストに基づいたコンテンツデータの再生が選択可能な選択メニュー画像７２０を表示部２に表示させる。ＣＰＵ１６０は、選択メニュー表示制御部１３０ｂを制御して、選択メニュー画像を表示部２に表示させる。
【０１２８】
プレイリスト判定部１６０ａがリンク情報記憶部１４ａにプレイリストＩＤが記憶されていない、と判定した場合には、選択メニュー表示制御部１３０ｂは、図９に示す選択メニュー画像７２１を表示部２に表示させる。
【０１２９】
選択メニュー画像７２０は、図８において初めて選択されたコンテンツデータに対して、表示部２に表示される。更に後述する「最初から再生」７２０ａが選択されると、ＣＰＵ１６０は、コンテンツデータを最初から再生するよう記録再生制御部１２を制御する。選択メニュー表示制御部１３０ｂは、選択されたコンテンツデータが一度再生されるまでは、選択メニュー画像７２０を表示し続ける。
【０１３０】
一度以上再生されたコンテンツデータが選択されたときは、ＣＰＵ１６０は図９に示す選択メニュー画像７２２を表示部２に表示させる。ただし、コンテンツデータが最後まで再生された場合には、ＣＰＵ１６０は選択メニュー画像７２０を表示部２に表示させる。
【０１３１】
選択メニュー画像７２０は、メニュー項目７２０ａ〜７２０ｅを含む。ＣＰＵ１６０は、選択されたメニュー項目７２０ａ〜７２０ｅに基づいて、各部を制御する。ＣＰＵ１６０は、「最初から再生」７２０ａが選択されると、コンテンツデータを最初から再生するよう記録再生制御部１２を制御する。ＣＰＵ１６０は、「続きから再生」７２０ｂが選択されると、前回視聴が停止された時刻からのコンテンツデータの再生を記録再生制御部１２に実行させる。ＣＰＵ１６０は、コンテンツデータの再生が停止されたコンテンツデータの時刻を記憶する。
【０１３２】
「代わりにプレイリストを再生」７２０ｃでは、ＣＰＵ１６０は選択されているコンテンツデータを使用して生成されたプレイリストに基づいたコンテンツデータの再生を記録再生制御部１２に実行させる。更にＣＰＵ１６０は、「削除」７２０ｄではコンテンツ記録部１８ａからコンテンツデータの削除を行い、そして「戻る」７２０ｅでは選択メニュー画像の表示を停止するよう、ＣＰＵ１６０は選択メニュー表示制御部１３０ｂを制御する。
【０１３３】
選択メニュー画像７２０は、「最初から再生」７２０ａが選択される状態にある。このあとユーザが決定ボタンを押す等の操作を行うことで、ＣＰＵ１６０は「最初から再生」７２０ａが選択されたと判断する。どのメニュー項目が選択される状態にあるかは、ここではメニュー内容を四角で囲んで表示した。表示する方法は、項目の文字の太さを変える、文字の色を変更する、文字の大きさを変える等、他のメニュー項目と区別できる方法であればよい。ユーザはどのメニュー項目を選択するかを、リモコン等で変更できる。
【０１３４】
選択されたコンテンツデータが初めて再生される際は、ＣＰＵ１６０は「続きから再生」７２０ｂが選択されても、最初から再生を開始するよう記録再生制御部１２を制御してもよい。あるいは、「続きから再生」７２０ｂが選択できない状態にあることを示す、エラーであることを示す、等としてもよい。
【０１３５】
図９に選択メニュー画像７２１、７２２を示す。選択メニュー画像７２１は、図７のステップＳ２２１において表示部２に表示される。選択メニュー画像７２１は、選択メニュー画像７２０に含まれるメニュー項目７２０ａ〜７２０ｅからメニュー項目「代わりにプレイリストを再生」７２０ｃが除かれたものである。図８において選択されたコンテンツデータのコンテンツＩＤに、対応するプレイリストＩＤが記憶されていないとプレイリスト判定部１６０ａが判定すると、ＣＰＵ１６０は選択メニュー表示制御部１３０ｂを、表示部２に選択メニュー画像７２１を表示させるよう制御する。
【０１３６】
選択メニュー画像７２２は、「続きから再生」７２０ｂが予め選択される状態にある。選択メニュー画像は、ユーザが選択する可能性の高いメニュー項目が選択されやすいよう、適宜変更される。選択メニュー画像７２２に含まれるメニュー項目７２０ａ〜７２０ｅは選択メニュー画像７２０と同じため、説明を省略した。
【０１３７】
選択メニュー画像７２２の代わりに、「続きから再生」７２０ｂが複数のメニュー項目の中で最も上に表示された画像（図示せず）を、表示部２に表示させてもよい。選択メニュー画像に含まれるメニュー項目のうち、ユーザが選択する可能性の高いメニュー項目が、選択されやすい配置となるようにメニュー項目の並び順を変更した選択メニュー画像を表示させればよい。
【０１３８】
図１０に、選択メニュー画像７２３〜７２５を示す。選択メニュー画像７２３に含まれるメニュー項目７２０ａ〜７２０ｅは、選択メニュー画像７２０と同じため、説明を省略する。ＣＰＵ１６０は、選択メニュー画像７２３の「代わりにプレイリストを再生」７２０ｃが選択されると、選択メニュー表示制御部１３０ｂに選択メニュー画像７２４を表示部２に表示させる。選択メニュー画像７２４は、「代わりにプレイリストを再生」７２０ｃの下位メニューである、「最初から再生」７２０ｆ及び「続きから再生」７２０ｇの項目を含む。選択メニュー画像７２４に含まれるその他のメニュー項目は、選択メニュー画像７２３と同じため、説明を省略する。
【０１３９】
「最初から再生」７２０ｆが選択されると、ＣＰＵ１６０はプレイリストを最初から再生するよう記録再生制御部１２を制御する。同様にＣＰＵ１６０は「続きから再生」７２０ｇでは、プレイリストを前回視聴が停止されたプレイリストの時刻から再生するよう記録再生制御部１２を制御する。
【０１４０】
選択メニュー表示制御部１３０ｂは、記録再生装置１０１が選択されたプレイリストを初めて再生するときには、「最初から再生」７２０ｆが選択される状態にある選択メニュー画像７２４を表示部２に表示させ、プレイリストの再生が二度目以降のときには、「続きから再生」７２０ｇが選択される状態にあるメニュー画像（図示せず）を表示部２に表示させることが好ましい。あるいは、メニュー項目の表示順を選択メニュー画像７２４と変更した選択メニュー画像を、表示部２に表示させてもよい。
【０１４１】
ＣＰＵ１６０は、「代わりにプレイリストを再生」７２０ｃが選択された際に、選択メニュー画像７２５を表示部２に表示させてもよい。選択メニュー画像７２５は、メニュー項目７２０ｅ、７２０ｈ〜７２０ｋ、７２０ｍを含む。ＣＰＵ１６０は、「プレイリストを最初から再生」７２０ｈが選択されると、プレイリストを最初から再生するよう記録再生制御部１２を制御する。ＣＰＵ１６０は、「プレイリストを続きから再生」７２０ｉが選択されると、前回視聴が停止された時刻からのプレイリストの再生を記録再生制御部１２に実行させ、「オリジナルコンテンツデータを再生」７２０ｊでは、選択されたコンテンツデータの再生を記録再生制御部１２に実行させる。更に、「プレイリストを削除」７２０ｋではＣＰＵ１６０はプレイリスト記憶部１８ｂからプレイリストの削除を行い、「ダビング」７２０ｍでは、ＣＰＵ１６０はプレイリストに基づいてコンテンツデータを図５に示すディスクドライブ１９を介して記録媒体に記録する。「戻る」７２０ｅでは選択メニュー画像７２５の表示部２への表示を終了するよう、ＣＰＵ１６０は選択メニュー表示制御部１３０ｂを制御する。
【０１４２】
ＣＰＵ１６０は、プレイリストに基づくコンテンツデータの再生が停止された時刻をプレイリストにおいて記憶する。「プレイリストを続きから再生」７２０ｉが選択されると、ＣＰＵ１６０は記憶したプレイリストの停止時刻からコンテンツデータの再生を再開するよう記録再生制御部１２を制御する。
【０１４３】
選択メニュー表示制御部１３０ｂは、上記同様に記録再生装置１０１が選択されたプレイリストを二回目以降再生するときには、「プレイリストを続きから再生」７２０ｉが選択された状態にある選択メニュー画像（図示せず）を表示部２に表示させる。
【０１４４】
なお、ＣＰＵ１６０は、「代わりにプレイリストを再生」７２０ｃが選択された際に、上記したような選択メニュー画像７２４、７２５を表示することなく、プレイリストの再生を開始してもよい。
【０１４５】
≪第３実施形態≫
図１１に第３実施形態の選択メニュー画像７２３、７２６〜７２８を示す。選択メニュー画像７２６〜７２８に含まれるメニュー項目において先述したものと同じ項目には、同じ符号を付し説明を省略する。第２実施形態では、一つのコンテンツデータから一つのプレイリストを生成した場合の記録再生装置１０１の動作を説明した。第３実施形態では、一つのコンテンツデータから複数のプレイリストを生成した場合の記録再生装置１０１の動作について説明する。
【０１４６】
選択メニュー画像７２３の「代わりにプレイリストを再生」７２０ｃが選択されると、ＣＰＵ１６０は選択メニュー表示制御部１３０ｂに、選択メニュー画像７２６を表示部２に表示させる。選択メニュー画像７２６は、コンテンツＩＤに対応付けられている全てのプレイリストＩＤのプレイリストを表示する。ここでは、二つのプレイリストが一つのコンテンツデータを基に生成されたとし、「プレイリスト１」７２０ｎ及び「プレイリスト２」７２０ｏの項目を選択メニュー画像７２６が含む。「プレイリスト１」７２０ｎ及び「プレイリスト２」７２０ｏは、ユーザが付けたプレイリスト名を表示することが好ましい。「プレイリスト１」７２０ｎまたは「プレイリスト２」７２０ｏが選択されると、ＣＰＵ１６０は選択されたプレイリストに基づいたコンテンツデータの再生を記録再生制御部１２に行わせる。
【０１４７】
ＣＰＵ１６０は、選択メニュー画像７２６において「プレイリスト１」７２０ｎが選択されたと判断したとき、選択メニュー表示制御部１３０ｂに選択メニュー画像７２７を表示部２に表示させる。選択メニュー画像７２７に含まれるメニュー項目は、「違うプレイリストを再生」７２０ｐを除いてすでに説明したものであるため、特に説明しない。
【０１４８】
「違うプレイリストを再生」７２０ｐが選択されると、ＣＰＵ１６０はコンテンツＩＤに対応付けられている全てのプレイリストＩＤのプレイリストを、表示部２に表示させる。本実施形態ではプレイリストが二つなので、ＣＰＵ１６０は選択メニュー画像７２６において選択されていないプレイリスト２に基づいて、コンテンツデータの再生を始めてもよい。あるいはＣＰＵ１６０は、選択メニュー画像７２７同様の、プレイリスト２用の選択メニュー画像を表示部２に表示させてもよい。
【０１４９】
ＣＰＵ１６０は、選択メニュー画像７２３にて「代わりにプレイリストを再生」７２０ｃが選択された際に、選択メニュー表示制御部１３０ｂに選択メニュー画像７２８を表示部２に表示させてもよい。選択メニュー画像７２８は、メニュー項目７２０ｑ、７２０ｒを含む。その他の項目は図１０に示す選択メニュー画像７２５と同じため説明を省略する。「プレイリスト１」７２０ｑ及び「プレイリスト２」７２０ｒは、ユーザが付けたプレイリスト名を表示することが好ましい。「プレイリスト１」７２０ｑまたは「プレイリスト２」７２０ｒが選択されると、ＣＰＵ１６０は選択されたプレイリストに基づいたコンテンツデータの再生を記録再生制御部１２に行わせる。ＣＰＵ１６０は、選択メニュー画像７２８において「プレイリスト１」７２０ｑが選択されたと判断したとき、選択メニュー表示制御部１３０ｂに選択メニュー画像７２７を表示部２に表示させる。その後の制御は先に述べたものと同じなので、説明を省略する。
【０１５０】
第３実施形態では、選択メニュー画像７２８が表示されている際に「プレイリストを削除」７２０ｋが選択されるとＣＰＵ１６０は、どのプレイリストを削除するかを尋ねる画像を表示部２に表示させるよう、選択メニュー表示制御部１３０ｂを制御する。ユーザは削除したいプレイリスト名の項目を選択し、決定する操作を行う。操作信号に基づきＣＰＵ１６０はプレイリスト記憶部１８ｂからプレイリストを削除する。「プレイリストを削除」７２０ｋが、選択メニュー画像７２７が表示部２に表示されている際に選択されると、ＣＰＵ１６０は選択されているプレイリスト、ここではプレイリスト１、を削除するとしてもよい。
【０１５１】
なお、一度プレイリストの再生が選択されたコンテンツデータは、次にコンテンツデータが選択された際に、プレイリストを続きから再生する操作が優先される。従って、選択メニュー画像７２７のようにプレイリストの再生項目が含まれるメニュー画像が表示部２に表示される。
【０１５２】
ＣＰＵ１６０は、選択メニュー表示制御部１３０ｂに選択メニュー画像７２３の代わりに図１２に示す選択メニュー画像７２９を表示させてもよい。選択メニュー画像７２９は、選択メニュー画像７２３に含まれているメニュー項目７２０ｃの代わりに、「プレイリスト１を再生」７２０ｓ及び「プレイリスト２を再生」７２０ｔを含む。上記同様、プレイリスト１及びプレイリスト２は、ユーザが付けたプレイリスト名を表示することが好ましい。「プレイリスト１を再生」７２０ｓが選択されると、ＣＰＵ１６０は選択メニュー表示制御部１３０ｂを制御し、選択メニュー画像７２７を表示部２に表示させる。その後の制御は先に述べたものと同じなので、説明を省略する。
【０１５３】
記録再生装置１０１は、コンテンツデータに基づいて生成されたプレイリストを記憶する（プレイリスト生成処理）。また記録再生装置１０１は、コンテンツデータに基づく画像を表示し、ユーザが選択したコンテンツデータに対してコンテンツデータの再生を含む各種制御を指示するためのメニュー画像を表示することができる。（プレイリスト表示処理、メニュー画像表示処理）。
【０１５４】
ユーザは、視聴したいコンテンツデータを使用したプレイリストが存在しているか否かを、図８に示すコンテンツデータに基づく画像が一覧表示された画面に、アイコン５３０が表示されていることで確認できる。あるいはユーザは、コンテンツデータを選択した際に表示される選択メニュー画像７２０、７２１で確認できる。プレイリストが作成されているコンテンツデータが選択されると、既述したように選択メニュー画像に「代わりにプレイリストを再生」７２０ｃ、「プレイリスト１」７２０ｑ、「プレイリスト１を再生」７２０ｓ等のプレイリストの再生を示すメニュー項目が表示部２に表示される。
【０１５５】
記録再生装置１０１は、アイコン５３０をコンテンツデータに基づく画像に関連付けて表示部２に表示させることで、コンテンツデータを使用したプレイリストが生成されていることをユーザに容易に視認させることができる。更に記録再生装置１０１は、プレイリストの再生を示すメニュー項目を表示することで、ユーザにプレイリストに基づいたコンテンツデータの再生を選択させることができる。
【０１５６】
本発明に係る記録再生装置によれば、ユーザは、視聴したいコンテンツデータを使用したプレイリストが記録再生装置に記憶されている場合には、コンテンツデータそのものの再生と、プレイリストに基づいたコンテンツデータの再生とを選択することができる。
【図面の簡単な説明】
【０１５７】
【図１】第１実施形態の記録再生装置の構成を示すブロック図である。
【図２】第１実施形態の記録再生装置のプレイリスト生成画像を示す図である。
【図３】第１実施形態の記録再生装置のプレイリスト表示処理の処理手順を示したフローチャートである。
【図４】第１実施形態の記録再生装置のコンテンツデータに基づく画像の一覧表示画像を示す図である。
【図５】第２実施形態の記録再生装置の構成を示すブロック図である。
【図６】第２実施形態の記録再生装置のプレイリスト生成画像を示す図である。
【図７】第２実施形態の記録再生装置のプレイリスト表示処理の処理手順を示したフローチャートである。
【図８】第２実施形態の記録再生装置のコンテンツデータに基づく画像の一覧表示画像を示す図である。
【図９】選択メニュー画像を示す図である。
【図１０】選択メニュー画像を示す図である。
【図１１】選択メニュー画像を示す図である。
【図１２】選択メニュー画像を示す図である。
【符号の説明】
【０１５８】
１、１０１  記録再生装置
２  表示部
３  音声出力部
１１、１１０  編集制御部
１１ａ、１１０ａ  プレイリスト生成部
１２  記録再生制御部
１３、１３０  表示制御部
１３ａ、１３０ａ  コンテンツ一覧表示制御部
１３０ｂ  選択メニュー画像表示制御部
１４ａ  リンク情報記憶部
１６、１６０  ＣＰＵ
１６ａ、１６０ａ  プレイリスト判定部
１８  記録部
１８ａ  コンテンツ記録部
１８ｂ  プレイリスト記憶部
【図１】
0005018706.tif 000002
【図２】
0005018706.tif 000003
【図３】
0005018706.tif 000004
【図４】
0005018706.tif 000005
【図５】
0005018706.tif 000006
【図６】
0005018706.tif 000007
【図７】
0005018706.tif 000008
【図８】
0005018706.tif 000009
【図９】
0005018706.tif 000010
【図１０】
0005018706.tif 000011
【図１１】
0005018706.tif 000012
【図１２】
0005018706.tif 000013